(57)【要約】【課題】ユーザの作業負担を増加させることなく被洗浄物の洗浄性と殺菌性とを両立可能な洗浄器と、該洗浄器を備えた加湿装置とを提供する。【解決手段】加湿ロータ（31）が浸漬される水タンク（61）と、水タンク（61）内の水中に放電を生起する負電極（64）及び正電極（65）と、該両電極間（64,65）に直流電圧を印加する電源部（70）と、超音波発生部（94）とを備えている。放電によって、水タンク（61）内の水を、負電極（64）側のアルカリ水と正電極（65）側の酸性水とに分離することにより、加湿ロータ（31）の周囲をアルカリ水で満たす。さらに、超音波発生部（94）から水中に超音波を照射することにより、分離されたアルカリ水中に水酸ラジカル及び該水酸ラジカルが変化して生成される過酸化水素を生成する。【選択図】図１
2013138985.tif 000002
【特許請求の範囲】
【請求項１】
被洗浄物（31）が浸漬される洗浄用水を貯留するための洗浄槽（61）と、該被洗浄物（31）を洗浄するための洗浄手段（100）とを備えた洗浄器であって、
上記洗浄手段（100）は、上記洗浄槽（61）内の洗浄用水中に放電を生起する負電極（64,64b）及び正電極（65,65b）と、該両電極間（64,64b,65,65b）に直流電圧を印加する電源部（70）と、超音波発生部（94）とを有し、
上記放電によって、上記洗浄槽（61）内の洗浄用水を、上記負電極（64,64b）側のアルカリ水と上記正電極（65,65b）側の酸性水とに分離することで上記被洗浄物（31）の周囲をアルカリ水で満たすと共に、該分離されたアルカリ水中に水酸ラジカルを生成するように構成され、
上記超音波発生部（94）は、超音波を上記洗浄用水中に照射することにより、該洗浄用水中に生成した水酸ラジカルが変化して生成される過酸化水素を水酸ラジカルに変換することを特徴とする洗浄器。
【請求項２】
請求項１記載の洗浄器において、
上記洗浄手段（100）はさらに、上記両電極間（64,65）の電流密度を上昇させるための電流密度集中部（74）を有しており、上記放電時には、該電流密度集中部（74）におけるジュール熱により気化した気泡を上記被洗浄物（31）に衝突させるように構成されていることを特徴とする洗浄器。
【請求項３】
請求項１又は２記載の洗浄器において、
上記洗浄槽（61）内を、上記負電極（64,64b）が配設される第１室（33）と上記正電極（65,65b）が配設される第２室（34）とに区画する区画部材（32）を備え、
上記被洗浄物（31）は、上記第１室（33）に配設され、
上記区画部材（32）には、上記第１室（33）及び上記第２室（34）を連通する貫通孔部（35）が設けられていることを特徴とする洗浄器。
【請求項４】
請求項１乃至３記載のいずれか１項の洗浄器において、
上記電極対（64,64b,65,65b）に印加する電圧のオン又はオフを制御する第１制御部（41）と、
上記超音波発生部（94）の動作を制御する第２制御部（45）とをさらに備え、
上記第１制御部（41）及び上記第２制御部（45）は、上記洗浄用水中に含まれる過酸化水素の濃度が所定の上限値を超えないように、上記電極対（64,64b,65,65b）に印加する電圧のオン又はオフ及び上記超音波発生部（94）の動作をそれぞれ制御することを特徴とする洗浄器。
【請求項５】
請求項４記載の洗浄器において、
上記洗浄用水中に含まれる過酸化水素の濃度をモニタするセンサ（47）をさらに備え、
上記第１制御部（41）は、上記センサ（47）によるモニタ結果に応じて上記電極対（64,64b,65,65b）に印加する電圧のオン又はオフを制御し、
上記第２制御部（45）は、上記センサ（47）によるモニタ結果に応じて上記超音波発生部（94）の動作を制御することを特徴とする洗浄器。
【請求項６】
請求項５記載の洗浄器において、
少なくとも上記洗浄用水中の過酸化水素の濃度が上記上限値を越えた場合には、上記第１制御部（41）が上記電極対（64,64b,65,65b）に印加する電圧をオフにして上記放電を停止させると共に、上記第２制御部（45）が上記超音波発生部（94）を動作させることを特徴とする洗浄器。
【請求項７】
請求項４乃至６記載のいずれか１項の洗浄器において、
上記第２制御部（45）は、上記洗浄用水中に含まれる過酸化水素の濃度が上記上限値よりも低い所定の下限値を超える期間に、上記超音波発生部（94）をオン状態にすることを特徴とする洗浄器。
【請求項８】
請求項１乃至３記載のいずれか１項の洗浄器において、
上記電極対（64,64b,65,65b）に印加する電圧のオン又はオフの制御、及び上記超音波発生部（94）の動作の制御を行う制御部をさらに備え、
上記制御部は、上記洗浄用水中に含まれる過酸化水素の濃度が所定の上限値を超えないように、上記電極対（64,64b,65,65b）に印加する電圧のオン又はオフ、及び上記超音波発生部（94）の動作を制御することを特徴とする洗浄器。
【請求項９】
請求項８において、
上記制御部は、上記洗浄用水中に含まれる過酸化水素の濃度が所定の上限値を超えた場合には、上記電極対（64,64b,65,65b）に印加する電圧をオフにして上記放電を停止させる一方、上記洗浄用水中に含まれる過酸化水素の濃度が上記上限値よりも低い所定の下限値を超える期間に、上記超音波発生部（94）をオン状態にすることを特徴とする洗浄器。
【請求項１０】
請求項１乃至９のいずれか１項に記載の洗浄器を備えた加湿装置であって、
上記被洗浄物（31）は、一部が洗浄用水に浸漬された状態で回転自在に構成された吸水部材（31a）を有する加湿ロータ（31）であることを特徴とする加湿装置。
【発明の詳細な説明】
【技術分野】
【０００１】
被洗浄物が浸漬される洗浄用水を貯留するための洗浄槽と該被洗浄物を洗浄するための洗浄手段とを備えた洗浄器、及び該洗浄器を備えた加湿装置に関する。
【背景技術】
【０００２】
従来より、被洗浄物をアルカリ水に浸漬して洗浄する洗浄器は知られている。例えば、特許文献１に示す洗浄器では、アルカリ水を貯留するための洗浄槽と、該洗浄槽の内部に配設された超音波発生器とを備えており、アルカリ水による洗浄と超音波洗浄とを併用するようにしている。
【先行技術文献】
【特許文献】
【０００３】
【特許文献１】特開平１０−１７４５５２号公報
【発明の概要】
【発明が解決しようとする課題】
【０００４】
しかしながら、上記従来の洗浄器においては、洗浄用水としてアルカリ水を使用しているため、酸性水を使用する場合と比べて被洗浄物（又は洗浄用水自体）の殺菌性に劣るという問題がある。また、従来の洗浄器では、超音波洗浄によって比較的に微細な汚れを除去することができるものの、被洗浄物の表面に固着した強固な汚れを除去することができないという問題がある。
【０００５】
さらに、上記従来の洗浄器においては、ユーザは、洗浄に際してその都度、アルカリ水を洗浄槽に注ぐという煩わしい作業を強いられる。従って、この点からも改良の余地がある。
【０００６】
本発明は、斯かる点に鑑み、その目的は、ユーザの作業負担を増加させることなく、被洗浄物の洗浄性と殺菌性とを両立可能な洗浄器を実現することにある。
【課題を解決するための手段】
【０００７】
第１の発明は、被洗浄物（31）が浸漬される洗浄用水を貯留するための洗浄槽（61）と、被洗浄物（31）を洗浄するための洗浄手段（100）とを備えた洗浄器を対象としている。洗浄手段（100）は、洗浄槽（61）内の洗浄用水中に放電を生起する負電極（64,64b）及び正電極（65,65b）と、該両電極間（64,64b,65,65b）に直流電圧を印加する電源部（70）と、超音波発生部（94）とを有し、放電によって、洗浄槽（61）内の洗浄用水を、負電極（64）側のアルカリ水と正電極（65）側の酸性水とに分離することにより、被洗浄物（31）の周囲をアルカリ水で満たすと共に、該分離されたアルカリ水中に水酸ラジカルを生成するように構成され、超音波発生部（94）は、超音波を洗浄用水中に照射することにより、該洗浄用水中に生成した水酸ラジカルが変化して生成される過酸化水素を水酸ラジカルに変換する。
【０００８】
第１の発明では、電源部（70）により負電極（64,64b）及び正電極（65,65b）間に直流電圧が印加されると、洗浄槽（61）内の水中では、放電が生起される。生起された放電に伴って、洗浄槽（61）内の水は、負電極側のアルカリ水と正電極側の酸性水とに分離され、被洗浄物（31）の周囲がアルカリ水で満たされる。従って、被洗浄物（31）の表面に付着した汚れ（油汚れ等）をアルカリ水の性質を利用して分解除去することができる。
【０００９】
また、放電に伴って、洗浄槽（61）内の水中では、水酸ラジカル及び該水酸ラジカルが変化した過酸化水素が生成されるので、水酸ラジカル及び過酸化水素によって水の殺菌及び浄化を充分に行うことができる。また、水中では、放電の発生に伴って水酸ラジカル等の活性種が生成されるので、水中に含まれる有害物質（例えば硫黄系化合物）は、活性種によって酸化分解されて除去される。
【００１０】
さらに、放電に伴って、衝撃波を発生させることができるので、被洗浄物（31）の表面に付着した汚れを衝撃波を利用して除去することができる。
【００１１】
第２の発明は、第１の発明において、洗浄手段（100）はさらに、両電極間（64,65）の電流密度を上昇させるための電流密度集中部（74）を有しており、放電時には、該電流密度集中部（74）におけるジュール熱により気化した気泡を被洗浄物（31）に衝突させるように構成されている。
【００１２】
第２の発明では、負電極（64）及び正電極（65）間に電流密度集中部（74）を設けることにより、放電時には、電流密度集中部（74）にてジュール熱が発生する。このため、電流密度集中部付近では、ジュール熱により水が局部的に加熱されて気泡が発生する。発生した気泡が被洗浄物（31）に衝突して破壊することにより、被洗浄物（31）の表面に付着した汚れを除去することができる。
【００１３】
第３の発明は、第１又は第２の発明において、洗浄槽（61）内を、負電極（64,64b）が配設される第１室（33）と正電極が配設される第２室（34）とに区画する区画部材（32）を備え、被洗浄物（31）は、第１室（33）に配設され、区画部材（32）には、第１室（33）及び第２室（34）を連通する貫通孔部（35）が設けられている。
【００１４】
第３の発明では、洗浄槽（61）には、負電極（64）が配設される第１室（33）と正電極（65）が配設される第２室（34）とを区画する区画部材（32）が設けられている。これにより、放電によって、分離された酸性水とアルカリ水とが洗浄槽内の水の対流等により混ざる（中和される）ことを防止することができる。
【００１５】
また、放電により、負電極側（第１室（33）側）で生じる衝撃波及び気泡を第１室（33）に配設された被洗浄物（31）に衝突させることができる。
【００１６】
第４の発明は、第１乃至第３の発明のいずれか１つにおいて、電極対（64,65）に印加する電圧のオン又はオフを制御する第１制御部（41）と、超音波発生部（94）の動作を制御する第２制御部（45）とをさらに備え、第１制御部（41）及び第２制御部（45）は、洗浄用水中に含まれる過酸化水素の濃度が所定の上限値を超えないように、電極対（64,64b,65,65b）に印加する電圧のオン又はオフ及び超音波発生部（94）の動作をそれぞれ制御する。
【００１７】
第５の発明は、第４の発明において、洗浄用水中に含まれる過酸化水素の濃度をモニタするセンサ（47）をさらに備え、第１制御部（41）は、センサ（47）によるモニタ結果に応じて電極対（64,64b,65,65b）に印加する電圧のオン又はオフを制御し、第２制御部（45）は、センサ（47）によるモニタ結果に応じて超音波発生部（94）の動作を制御する。
【００１８】
第６の発明は、第５の発明において、少なくとも洗浄用水中の過酸化水素の濃度が上限値を越えた場合には、第１制御部（41）が電極対（64,64b,65,65b）に印加する電圧をオフにして放電を停止させると共に、第２制御部（45）が上記超音波発生部（94）を動作させる。
【００１９】
第７の発明は、第４乃至第６の発明のいずれか１つにおいて、第２制御部（45）は、洗浄用水中に含まれる過酸化水素の濃度が上限値よりも低い所定の下限値を超える期間に、超音波発生部（94）をオン状態にする。
【００２０】
第８の発明は、第１乃至第３の発明のいずれか１つにおいて、電極対（64,64b,65,65b）に印加する電圧のオン又はオフの制御、及び超音波発生部（94）の動作の制御を行う制御部をさらに備え、制御部は、洗浄用水中に含まれる過酸化水素の濃度が所定の上限値を超えないように、電極対（64,64b,65,65b）に印加する電圧のオン又はオフ、及び超音波発生部（94）の動作を制御する。
【００２１】
第９の発明は、第８の発明において、制御部は、洗浄用水中に含まれる過酸化水素の濃度が所定の上限値を超えた場合には、電極対（64,64b,65,65b）に印加する電圧をオフにして放電を停止させる一方、洗浄用水中に含まれる過酸化水素の濃度が上限値よりも低い所定の下限値を超える期間に、超音波発生部（94）をオン状態にする。
【００２２】
第１０の発明は、第１乃至９のいずれか一項に記載の洗浄器を備えた加湿装置（1）を対象とする。被洗浄物（31）は、一部が洗浄用水に浸漬された状態で回転自在に構成された吸水部材（31a）を有する加湿ロータ（31）である。
【００２３】
第１０の発明では、加湿ロータ（31）は洗浄用水に浸漬された状態で回転する。洗浄用水は、放電によって、殺菌及び洗浄されるため、加湿ロータ（31）から空気中に放出される水分を浄化することができる。また、加湿ロータ（31）に付着した汚れ（例えばヤニや油汚れ等）は、放電によって発生する衝撃波や気泡によって除去することができる。このため、加湿ロータ（31）を常に清潔に維持することができ、延いては、加湿空気の浄化度を高めることができる。
【発明の効果】
【００２４】
本発明では、洗浄槽（61）内の水中において、放電を行うことにより、被洗浄物（31）の周囲をアルカリ水で満たすと共に該アルカリ水中に過酸化水素を生成するようにしている。これにより、アルカリ水の性質を利用して被洗浄物（31）に付着した油汚れ等を分解除去しつつ、過酸化水素水を利用して洗浄用水を殺菌及び浄化することができる。また、放電では、水中において、水酸ラジカル等の多量の活性種が生成されるものの、短時間で過酸化水素に変化する。本発明では、水中に超音波を照射することによって、水酸ラジカルが変化して生成された過酸化水素を水酸ラジカルに変換させることができる。従って、過酸化水素よりも殺菌力が高い水酸ラジカルにより水中の有害物質をより効果的に除去することができる。
【００２５】
また、本発明では、放電によって生じる衝撃波を利用して被洗浄物（31）に付着した汚れを除去することができる。本発明では、電源部（70）により両電極（64,64b,65,65b）の間に直流電圧を印加することにより放電を生起するようにしているため、例えばパルス電源を用いる場合と比較すると、弱い衝撃波を持続的に一定の大きさで発生させることができる。従って、母材（被洗浄物（31））を傷めることなく、被洗浄物（31）の表面に付着した汚れを効果的に除去することができる。また、パルス電源を用いる場合と比較して、電源部（70）の簡素化、低コスト化及び小型化を図ることができる。また、パルス電源を用いると、放電に伴って水中で発生する衝撃波及び騒音が大きくなってしまう。これに対し、直流電源である電源部（70）を用いると、このような衝撃波及び騒音をも低減することができる。
【００２６】
第２の発明によれば、被洗浄物（31）に気泡を衝突させることにより、被洗浄物（31）に付着した汚れをより一層確実に除去することができる。
【００２７】
第３の発明によれば、放電により分離された酸性水とアルカリ水とが混ざり合うことを区画部材（32）により阻止することができる。延いては、アルカリ水による被洗浄物（31）の洗浄効果が低下するのを防止することができる。
【００２８】
第４の発明によれば、洗浄器における水中の過酸化水素の濃度が抑えられて、代わりに水酸ラジカルの濃度が高くなるので、洗浄効果を高めることができる。
【００２９】
第５の発明によれば、第１制御部（41）及び第２制御部（45）が、水タンク（61）の水中の過酸化水素濃度に応じて放電の制御及び超音波照射の制御をそれぞれ行うため、水中の過酸化水素濃度が所望の範囲内になるよう制御しながら、洗浄処理を行うことができる。
【００３０】
第６の発明によれば、水中の過酸化水素の濃度が上限値を超えた場合に、放電を停止させて過酸化水素の生成を停止させるため、水中の過酸化水素濃度を上限値以下にすることができ、生成されたイオン水における過酸化水素の濃度を低減する一方、水酸ラジカルの濃度を高めることができる。
【００３１】
第７の発明によれば、水中の過酸化水素濃度を下限値以上に制御することができるため、超音波を照射した場合に水酸ラジカルを効率良く発生させることが可能となる。
【００３２】
第８の発明によれば、水中の過酸化水素の濃度が上限値を超えないように制御部によって制御されるため、生成されたイオン水における過酸化水素の濃度を低減する一方、水酸ラジカルの濃度を高めることができる。
【００３３】
第９の発明によれば、水中の過酸化水素濃度を下限値以上に制御することができるため、超音波を照射した場合に水酸ラジカルを効率良く発生させることが可能となる。
【００３４】
第１０の発明によれば、加湿ロータ（31）を備えた加湿装置（1）に対して本発明の洗浄器を適用することにより、加湿空気の浄化度を可及的に高めることが可能となる。
【図面の簡単な説明】
【００３５】
【図１】図１は本発明の実施形態１に係る洗浄器を備えた加湿装置を示す模式的な正面図である。
【図２】図２は本発明の実施形態１に係る洗浄器を備えた加湿装置を示す側面図である。
【図３】図３は本発明の実施形態１に係る洗浄ユニット（洗浄器）を示し、水浄化動作を開始する前の状態を示す模式的な断面図である。
【図４】図４は本発明の実施形態１に係る放電電極を収容する絶縁ケーシングを示す斜視図である。
【図５】図５は本発明の実施形態１に係る洗浄ユニット（洗浄器）を示し、水浄化動作を開始して気泡が形成された状態を示す模式的な断面図である。
【図６】図６（ａ）及び図６（ｂ）は超音波発生部の具体例を示す拡大断面図である。
【図７】図７は本発明に係る洗浄ユニットにおける運転動作の基本サイクルを示す図である。
【図８】図８（ａ）は水中の過酸化水素の濃度を用いてフィードバック制御を行う場合の運転制御の一例を示すタイムチャートである。図８（ｂ）は、水中の過酸化水素の濃度変化の測定値を用いてフィードフォワード制御を行う場合の運転制御の一例を示すタイムチャートである。
【図９】図９は本発明の実施形態１の一変形例に係る洗浄器を示す模式的な断面図である。
【図１０】図１０は本発明の実施形態１の一変形例に係る放電電極を収容する絶縁ケーシングを示す斜視図である。
【図１１】図１１は本発明の実施形態２に係る洗浄ユニット（洗浄器）を示す模式的な断面図である。
【図１２】図１２は本発明の他の実施形態を示す図１相当図である。
【発明を実施するための形態】
【００３６】
本願発明者らは、水中での放電による細菌の繁殖の抑制効果をさらに検討した結果、水中での放電によって該水中の過酸化水素の濃度が増加すること、及びその際の過酸化水素の濃度は水を電気分解する場合と比べて条件によっては１００倍程度にもなることを実験的に確認した。これは、放電によって生じた水酸ラジカル及び酸素ラジカルが最終的に過酸化水素になったためと考えられる。
【００３７】
さらに、殺菌能力は、過酸素水素よりも水酸ラジカルの方が高いため、水に超音波を照射して、過酸化水素から水酸ラジカルに戻すことにより、水の浄化能力がより高まることを突き止めた。
【００３８】
本願発明者らは、これらのことを考え合わせ、放電と超音波照射とを組み合わせることにより、水酸ラジカルによる効果的且つ継続的に水を浄化することができると共に、水の過酸化水素濃度を所定の範囲に制御することができることに想到した。
【００３９】
以下、本発明の実施形態を図面に基づいて詳細に説明する。なお、以下の各実施形態は、本質的に好ましい例示であって、本発明、その適用物、又はその用途の範囲を制限することを意図しない。
【００４０】
《発明の実施形態１》
本発明の実施形態１に係る洗浄ユニット（10）を備えた加湿装置（1）の全体構成について、図１を参照しながら説明する。
【００４１】
加湿装置（1）は、箱状のケーシング（20）と、ケーシング（20）内に収容された洗浄ユニット付きの加湿ユニット（21）とを備えている。ケーシング（20）の前面（図１における手前側）には、空気をケーシング（20）内に導入するための吸込口（22）（図２を参照。）が形成されている。また、ケーシング（20）の後面には、加湿された空気を吹出すための吹出口（23）（図２を参照。）が形成されている。
【００４２】
図２に示すように、空気通路（24）は、空気の流れの上流側から下流側に向かって順に、プレフィルタ（25）、イオン化部（26）、プリーツフィルタ（27）、加湿ユニット（21）及び遠心ファン（28）が設けられている。
【００４３】
プレフィルタ（25）は、空気中に含まれる比較的に大きな塵埃を物理的に補足する集塵用のフィルタである。
【００４４】
イオン化部（26）は、コロナ放電を行うための一対の電極を有しており、コロナ放電によって、空気中の塵埃を所定の電荷（正又は負の電荷）に帯電させる。
【００４５】
プリーツフィルタ（27）は、波板状の静電フィルタで構成されており、イオン化部（26）で帯電された塵埃を電気的に誘引して捕捉する。
【００４６】
加湿ユニット（21）は、水を貯留するための水タンク（61）と、空気中に水分を放出する加湿ロータ（31）と、加湿ロータ（31）を回転駆動するための駆動モータ（図示せず）とを備えている。
【００４７】
水タンク（61）は、密閉型の容器状に形成されている。水タンク（61）の下面には、図示しない注入口が形成されており、該注入口から水タンク（61）内の水を出し入れすることにより、水の交換が可能となっている。水タンク（61）内には、該水タンク（61）内の空間を上下に区画する区画部材（32）としての分離板（32）（後述する）が設けられている。
【００４８】
加湿ユニット（21）には、さらに、加湿ロータ（31）を加熱するためのヒータ（36）と、加湿ロータ（31）に含まれる水を浄化すると共に加湿ロータ（31）の洗浄を行うための洗浄ユニット（10）と、該洗浄ユニット（10）の運転を制御する制御部（40）とが設けられている。洗浄ユニット（10）と制御部（40）との詳細については後述する。
【００４９】
加湿ロータ（31）は、円筒状の吸水部材（31a）と、吸水部材（31a）を支持する支持軸（31b）とから構成され、該支持軸（31b）は、不図示の軸受けを介して水タンク（61）に回動可能に取り付けられている。吸水部材（31a）は、支持軸（31b）に回転一体に固定されている。吸水部材（31a）は、水タンク（61）が満水状態にあるときに、軸心方向から見てその下側半分のほぼ全体が水に浸かるように配設されている。支持軸（31b）は、駆動モータに動力伝達可能に連結されている。
【００５０】
吸水部材（31a）は、複数の通気孔を有するハニカム構造を持つ基材の表面に吸着剤が担持されて構成されている。吸着剤としては、粒状のゼオライト等の、水分に対する吸着性能に優れた材料が用いられる。また、吸着剤を基材に担持させるためのバインダとしては、変性ポリフェニレンエーテル、ポリスチレン又はＡＢＳ樹脂（アクリルニトリル−ブタジエン−スチレン共重合合成樹脂）等の熱可塑性樹脂が用いられる。
【００５１】
ヒータ（36）は、加湿ロータ（31）の上流側の側面の上端部に近接して配置されている。該ヒータ（36）は、通電状態となることにより、加湿ロータ（31）に流入する空気を加熱するように構成されている。
【００５２】
ケーシング（20）の内部には、放電ユニット（62）と超音波発生部（94）との運転を制御する制御部（40）が配設されている。
【００５３】
−洗浄ユニットの詳細構造−
洗浄ユニット（10）は、水中での放電によって水中に水酸ラジカルと該水酸ラジカルが変化した過酸化水素等の浄化成分を生成し、生成された浄化成分によって水の浄化を行う。洗浄ユニット（10）は、加湿ユニット（21）の一部を構成する水タンク（61）と、放電ユニット（62）と、超音波発生部（94）とを有している（図３を参照。）。水タンク（61）内の空間は、分離板（32）によって上部室（33）と下部室（34）とに区画されている。分離板（32）と放電ユニット（62）と超音波発生部（94）とは、本発明の洗浄手段（100）を構成している。分離板（32）は、板状部材（例えば樹脂製）で構成されている。分離板（32）には、複数の孔部（35）が形成されている。複数の孔部（35）は、本実施形態においては、数ミクロンオーダの径を有する微細孔とされている。
【００５４】
放電ユニット（62）は、放電電極（64）及び対向電極（65）からなる電極対（64,65）と、該電極対（64,65）に電圧を印加する電源部（70）と、放電電極（64）を内部に収容する絶縁ケーシング（71）とを備えている。放電電極（負電極）(64)は、水タンク（61）の上部室（33）の壁面に配設されており、対向電極（正電極）（65）は、水タンク（61）の下部室（34）の底部に配設されている。
【００５５】
電極対（64,65）は、水中で放電を生起する。放電電極（64）は、絶縁ケーシング（71）の内部に配置されている。放電電極（64）は、上下に扁平な板状に形成されている。放電電極（64）は、電源部（70）の負極側と接続されている。
【００５６】
対向電極（65）は、絶縁ケーシング（71）の外部に配置されている。対向電極（65）は、放電電極（64）の下方に設けられている。対向電極（65）は、電源部（70）の正極側と接続されている。放電電極（64）及び対向電極（65）は、例えば耐腐食性が高い導電性材料により構成されている。
【００５７】
電源部（70）は、電極対（64,65）に所定の直流電圧を印加する直流電源により構成されている。即ち、電源部（70）は、電極対（64,65）に対して瞬時的に高電圧を繰り返し印加するようなパルス電源ではなく、電極対（64,65）に対して常に数キロボルト程度の直流電圧を印加する。電源部（70）のうち、対向電極（65）が接続される正極側は、アースと接続されている。また、電源部（70）には、電極対（64,65）の放電電力を所定の値に制御する定電力制御部が設けられている（図示せず）。
【００５８】
絶縁ケーシング（71）は、水タンク（61）の上部室（31）に配設されている。絶縁ケーシング（71）は、例えばセラミックス等の絶縁材料により構成されている。絶縁ケーシング（71）は、一面（超音波発生部（94）との対向面）が開放された容器状のケース本体（72）と、該ケース本体（72）の開放部を閉塞する板状の蓋部（73）とを有している。
【００５９】
ケース本体（72）は、角型筒状の側壁部（72a）と、該側壁部（72a）の底面を閉塞する底部（72b）とを有している。放電電極（64）は、底部（72b）の上に敷設されている。絶縁ケーシング（71）においては、蓋部（73）と底部（72b）との間の上下方向の距離が、放電電極（64）の厚さよりも長くなっている。つまり、放電電極（64）と蓋部（73）との間には、所定の間隔が確保されている。これにより、絶縁ケーシング（71）の内部では、放電電極（64）とケース本体（72）と蓋部（73）との間に空間（S）が形成される。
【００６０】
図３及び図４に示すように、絶縁ケーシング（71）の蓋部（73）には、該蓋部（73）を厚さ方向に貫通する１つの開口部（74）が形成されている。この開口部（74）により、放電電極（64）と対向電極（65）との間の電界の形成が許容される。蓋部（73）における開口部（74）の内径は、０．０２ｍｍ以上且つ０．５ｍｍ以下であることが好ましい。以上のような開口部（74）は、電極対（64,65）の間の電流経路の電流密度を上昇させる電流密度集中部を構成する。
【００６１】
以上のように、絶縁ケーシング（71）は、電極対（64,65）のうちの一方の電極（放電電極（64））のみを内部に収容し、且つ電流密度集中部としての開口部（74）を有する絶縁部材を構成している。
【００６２】
加えて、絶縁ケーシング（71）の開口部（74）内では、電流経路における電流密度が上昇することにより、水がジュール熱によって気化して微細な気泡（A)が多数生成されると共に、開口部（74）を覆うように大粒の複数の気泡（B）が形成される（図５を参照。）。
【００６３】
〈超音波発生部〉
超音波発生部（94）は、板状の圧電セラミックス（95）と、厚さ方向の両側から圧電セラミックス（95）を挟むように設けられた一対の金属板（96a,96b）とから構成される。超音波発生部（94）を封入するケース（97）は密閉され、例えば水タンク（61）の上部室（33）における放電電極（64）と対向する壁面に配設されている。
【００６４】
金属板（96a,96b）には、増幅器（49）によって増幅された超音波波形発生部（48）の出力信号（交流電圧）が供給される。これにより、超音波発生部（94）は任意の周波数の超音波を電解槽（20）の水に照射する。但し、過酸化水素を分解して水酸ラジカルを効率良く発生させるには、超音波の周波数が１００ｋＨｚ以上程度であれば特に好ましい。
【００６５】
なお、超音波発生部（94）は、水タンク（61）の水に超音波を照射できる範囲で任意の位置に設置されていてもよい。例えば、図６（ａ）に示すように、超音波発生部（94）が水タンク（61）における上部室（33）の外側に設置されていてもよい。超音波発生部（94）が上部室（33）の外側に設置されている場合は、超音波は水タンク（61）の壁面を介して水中に伝達される。
【００６６】
また、超音波発生部（94）の構成は、図３に示す例に限られない。例えば、図６（ｂ）に示すように、金属ケース（97a）と金属板（96）とによって板状の圧電セラミックス（95）を挟み、両者の間に交流電圧を供給する構成であってもよい。
【００６７】
−制御部−
制御部（40）は、電源部（70）と接続された放電波形発生部（43）と、放電ユニット（62）の電極対（64,65）に印加する電圧のオン又はオフを制御する制御部(41)と、増幅器（49）を介して超音波発生部（94）に所定の周波数の交流電圧を供給する超音波波形発生部（48）と、該超音波波形発生部（48）を介して超音波発生部（94）の動作を制御する制御部（45）と、電解槽（20）の水中の過酸化水素濃度をモニタするセンサ（47）とを有している。なお、図示しないが、センサ（47）のモニタ結果に基づいて制御部（41,45）を制御する中央演算装置（ＣＰＵ）が設けられていてもよい。
【００６８】
制御部（41,45）による放電ユニット（62）及び超音波発生部（94）に対する制御方法は、後述する。また、いわゆるフィードフォワード制御を行う場合は、センサ（47）は必ずしも設けられなくてもよい。
【００６９】
−加湿装置の運転動作−
本実施形態に係る加湿装置（1）においては、室内の空気を浄化すると同時に室内の空気を加湿する加湿運転が行われる。
【００７０】
加湿運転では、遠心ファン（28）が運転されることにより、室内の空気が吸込口（22）を通じて空気通路（24）内に導入される。また、加湿ロータ（31）が回転駆動されると共にヒータ（36）が通電状態となる。さらに、イオン化部（26）の電極に電圧が印加されると共に、電源部（70）から放電ユニット（62）の電極対（64,65）に電圧が印加される。
【００７１】
図２に示すように、空気通路（24）に流入した空気は、プレフィルタ（25）を通過して塵埃が捕捉され、その後、イオン化部（26）を通過する。イオン化部（26）において、電極間でコロナ放電が行われており、空気中の塵埃が帯電される。イオン化部（26）を流出した空気は、プリーツフィルタ（27）を通過する。プリーツフィルタ（27）において、帯電した塵埃が電気的に誘引されて捕捉される。プリーツフィルタ（27）を流出した空気は、ヒータ（33）により加熱され、その後、加湿ロータ（31）を通過する。
【００７２】
加湿ロータ（31）は、所定の間隔で間欠的に回転駆動されるか、又は連続的に回転駆動される。加湿ロータ（31）を通過した空気には、加湿ロータ（31）の吸水部材（31a）から離脱した水分が含まれ、水分を含む加湿空気が吹出口（23）を通じて室内へと供給される。
【００７３】
−洗浄ユニットの運転動作−
本実施形態の加湿装置（1）においては、洗浄ユニット（10）が運転されることにより、加湿ロータ（31）の洗浄、並びに水タンク（61）内の水の殺菌及び浄化がなされる。このような洗浄ユニット（10）による加湿ロータ（31）の洗浄動作並びに水の殺菌及び浄化動作について詳細に説明する。なお、これらの動作は上述した加湿運転時に実行される。
【００７４】
図７は、実施形態１に係る洗浄ユニットによる運転動作の基本サイクルを示している。図７に示す基本サイクルによると、水タンク（61）に溜められた水は、放電ユニット（62）を構成する電極対（64,65）の間に生起される放電によって浄化される。この際に、放電によってイオン水中に水酸ラジカル等の活性種が生成し、有機物等の分解及び殺菌等が行われる（図７中のステップSt1、St2）。水酸ラジカルは、短時間で過酸化水素に変化する（ステップSt3）。
【００７５】
次に、超音波発生部（94）から水中に超音波を伝搬させ、水中の過酸化水素を分解して、水酸ラジカルに変化させる（ステップSt4）。超音波の照射により発生した水酸ラジカルは、再度過酸化水素に変化する。但し、除菌等、水の浄化反応に使われた水酸ラジカルは水に変化するため、放電を停止して超音波照射のみを行った場合には、過酸化水素の濃度は低下して行くことになる。
【００７６】
以下、放電と超音波処理とを組み合わせた洗浄ユニット（10）の運転制御の具体例について説明する。図８（ａ）は、水中の過酸化水素の濃度を用いてフィードバック制御を行う場合の運転制御の一例を示すタイムチャートである。以下の方法では、水中の過酸化水素はセンサ（47）によって検知される。
【００７７】
まず、洗浄ユニット（10）の運転の開始時には、図３に示すように、絶縁ケーシング（71）の内部の空間（S）が浸水した状態となっている。電源部（70）から電極対（64,65）に所定の直流電圧（例えば１ｋＶ）が印加されると、電極対（64,65）の間に電界が形成される。放電電極（64）の周囲は、絶縁ケーシング（71）によって覆われている。このため、電極対（64,65）の間での漏れ電流が抑制されると共に、開口部（74）内の電流経路の電流密度が上昇した状態となる。
【００７８】
開口部（74）内の電流密度が上昇すると、開口部（74）内のジュール熱が大きくなる。その結果、絶縁ケーシング（71）では、開口部（74）の近傍において、水の気化が促進されて気泡（B）が形成される。形成された気泡（B）は、図５に示すように、開口部（74）のほぼ全域を覆う状態となり、対向電極（65）に導通する正極側の水と、負極側の放電電極（64）との間に気泡（B）が介在する。従って、この状態では、気泡（B）が、放電電極（64）と対向電極（65）との間での水を介した導電を阻止する抵抗として機能する。これにより、放電電極（64）と対向電極（65）との間の漏れ電流が抑制され、電極対（64,65）間では、所望とする電位差が保たれることになる。すると、気泡（B）内では、絶縁破壊に伴い放電が発生する。
【００７９】
以上のようにして、気泡（B）内で放電が行われると、放電電極（64）の近傍では、次式（１）に示すような反応が行われる。この反応により、水素イオン（Ｈ＋）が消費されて減少する。その結果、水素イオン指数が増加して、アルカリイオン水が生成される。
【００８０】
４Ｈ２Ｏ＋４ｅ−  →  ２Ｈ２＋４ＯＨ−      （式１）
一方、対向電極（65）の近傍では、次式（２）に示すような反応が行われる。この反応により、水酸化イオン（ＯＨ−）が減少して水素イオン（Ｈ＋）が増加する。その結果、水素イオン指数が減少して、酸性水が生成される。
【００８１】
２Ｈ２Ｏ  →  Ｏ２＋４Ｈ＋＋４ｅ−      （式２）
このようにして、分離板（32）の下側の下部室（34）が酸性水で満たされる一方、分離板（32）の上側の上部室（33）がアルカリ水で満たされることとなる。
【００８２】
このように、気泡（B）で放電が行われると、加湿ロータの周囲（上部室（33））をアルカリ水で満たすことができる。従って、アルカリ水の性質を利用して、加湿ロータ（31）の表面に付着した汚れ（ヤニや油汚れ）を分解除去することができる。
【００８３】
また、気泡（B）内で放電が行われると、水タンク（61）内の水中では、水酸ラジカル等の活性種及び該水酸ラジカルが変化した過酸化水素等が生成される。水酸ラジカル等の活性種や過酸化水素は、放電に伴う熱によって水タンク（61）内を対流する。これにより、水中での活性種や過酸化水素の拡散が促される。水中に拡散した水酸ラジカル等の活性種は、水中に含まれる被処理成分（例えばアンモニア等）を酸化分解して水の浄化に利用される。また、水中に拡散した過酸化水素は、水の殺菌に利用される。加湿運転時には、このような洗浄動作並びに殺菌及び浄化動作が適宜実行される。これにより、加湿ロータ（31）が洗浄されると共に、水タンク（61）内の水が殺菌及び浄化される。
【００８４】
また、気泡（B）内で放電が行われると、放電に伴って気泡（B）でイオン風を生成し易くなる。よって、水タンク（61）内では、このイオン風を利用して、活性種や過酸化水素の拡散効果をさらに向上できる。なお、この段階では、超音波発生部（94）はオフ状態にしておく。これにより、水が浄化されると共に、水中の過酸化水素の濃度が上昇する。
【００８５】
その後、水中の過酸化水素濃度が、あらかじめ設定された下限値を超えた場合は、制御部（41）は電極対（64,65）への電圧の供給を継続させ、且つ、制御部(45)は、超音波発生部（94）をオン状態として水中に超音波を照射させる。これにより、放電により生成された水酸ラジカルと、過酸化水素から生成された水酸ラジカルとによって水が浄化される。放電によって生成される過酸化水素の量は、超音波によって分解される過酸化水素の量よりも多いため、この期間にも水中の過酸化水素の濃度は上昇する。
【００８６】
次に、水の過酸化水素濃度があらかじめ設定された上限値を超えた場合は、制御部（41）は電極対（64,65）への電圧の供給を停止して、放電を停止させる。一方、制御部（45）は、引き続き超音波発生部（94）をオン状態として水中に超音波を照射させる。これにより、過酸化水素から生成された水酸ラジカルによって水が浄化される。この期間には、超音波によって過酸化水素が分解されるため、水中の過酸化水素の濃度は減少する。
【００８７】
その後、水の過酸化水素濃度が上述の下限値を下回った時点で、制御部（41）は電極対（64,65）への電圧の供給を再開する。これにより、水中の過酸化水素の濃度は再び上昇する。これ以後、同様に超音波照射のみを行う期間と超音波照射と放電とを組み合わせる期間とを繰り返すことにより、水中の過酸化水素濃度を下限値以上、且つ上限値以下の範囲に制御しながら、水を浄化することができる。
【００８８】
また、図５に示すように、気泡（B）内で放電が行われると、気泡（B）の近傍に微細な気泡（A）が発生する。発生した微細な気泡（A）は、放電に伴う熱によって水タンク（61）内を対流し、加湿ロータ（31）の表面に衝突する。この衝突により気泡（A）が破壊される際の衝撃を利用して、加湿ロータ（31）の表面に付着した汚れを除去することができる。
【００８９】
さらにまた、気泡（B）内で放電が行われると、放電電極（64）側で衝撃波が発生する。発生した衝撃波は、加湿ロータ（31）の表面に衝突する。衝突の際の衝撃波を利用して、加湿ロータ（31）の表面に付着した強固な汚れを除去することができる。
【００９０】
−実施形態１の効果−
本実施形態においては、水タンク（61）内の水中において、放電を行うことにより、加湿ロータ（31）の周囲をアルカリ水で満たすと共に、アルカリ水中に、水酸ラジカルと該水酸ラジカルが変化した過酸化水素とを生成（供給）するようにしている。これにより、アルカリ水の性質を利用して加湿ロータ（31）に付着した油汚れ等を分解除去しつつ、水酸ラジカル及び過酸化水素水を利用して水タンク（61）内の水を殺菌及び浄化することができる。また、放電では、水中において多量の活性種が生成するため、生成された活性種により水中の有害物質を効果的に除去することができる。このように、加湿ロータ（31）及び水タンク（61）内の水を常に清潔に保って、加湿装置（1）から室内に供給される加湿空気の浄化度を高めることができる。
【００９１】
さらに、実施形態１においては、超音波発生部（94）から水中に超音波を照射することにより、放電により生成され、その後変化した過酸化水素よりも殺菌力が高い水酸ラジカルに変換することができる。
【００９２】
その上、水中での放電と水中への超音波照射とを組み合わせることにより、水中の過酸化水素濃度を上昇させることなく、浄化能力の向上を図ることが可能となる。
【００９３】
また、本実施形態においては、放電によって生じる衝撃波を加湿ロータ（31）の表面に衝突させるようにしている。これにより、衝撃波を利用して加湿ロータ（31）の表面に固着強固な汚れでも確実に除去することができる。さらに、本実施形態においては、直流電圧を印加する電源部（70）を使用して放電を生起するようにしているため、例えばパルス電源を使用する場合と比較すると、弱い衝撃波を持続的に一定の大きさで発生させることができる。従って、吸水部材（加湿ロータ（31））のように表面が比較的に脆い材質で構成されている場合であっても、吸水部材の表面に付着した汚れを母材を傷めることなく効果的に除去することができる。
【００９４】
また、本実施形態においては、放電によって生じる微細な気泡（A）を、加湿ロータ（31）の表面に衝突させるようにしている。さらに、超音波発生部（94）が発する超音波振動によっても微細な気泡が生じる。これらの気泡の破壊力を利用して、加湿ロータ（31）の表面に付着した強固な汚れをさらに確実に除去することができる。
【００９５】
また、本実施形態においては、水タンク（61）内を、分離板（32）によって、放電電極（64）が配設される上部室（33）と対向電極（65）が配設される下部室（34）とに区画している。このため、放電によって分離された対向電極（65）側の酸性水と放電電極（64）側のアルカリ水とが混ざるのを分離板（32）により阻止することができ、延いては、アルカリ水の洗浄効果が低下するのを防止することができる。
【００９６】
〈実施形態１の運転動作の一変形例〉
以下、実施形態１に係る給湯システムの運転動作の一変形例について説明する。
【００９７】
図８（ｂ）は、過酸化水素の濃度変化の測定値を用いてフィードフォワード制御を行う場合の運転制御の一例を示すタイムチャートである。
【００９８】
フィードフォワード制御される給湯システムには、必ずしもセンサ（47）が設けられていなくてもよい。但し、放電のみを行った場合に水タンク（61）の水中の過酸化水素の濃度が０から下限値に達するまでに要する時間Ｔ１、放電と超音波照射とを同時に行った場合に水中の過酸化水素の濃度が下限値から上限値になるまでに要する時間Ｔ２、及び超音波照射のみを行った場合に上限値から下限値に達するのに要する時間Ｔ３を、それぞれあらかじめ測定しておき、それらの測定データを制御部（41,45）の内部又は外部に設けられたメモリ等（図示せず）に保持しておく。制御部（41,45）は、測定データに基づいて以下の制御を行う。また、制御部（41,45）の内部又は外部には、時間をカウントするタイマを設けておく。
【００９９】
本変形例に係る制御方法において、まず、制御部（41）は、電極対(64,65)の間に所定の電圧を印加させ、放電を生起させる。この際、超音波発生部（94）はオフ状態にしておく。これにより、水が浄化されると共に、水中の過酸化水素の濃度が上昇する。
【０１００】
次に、運転開始から時間Ｔ１が経過した時点で、制御部（41）は電極対（64,65）への電圧の供給を継続させ、制御部(45)は、超音波発生部（94）をオン状態にして水中に超音波を照射させる。これにより、放電により生成された水酸ラジカルと、過酸化水素から生成された水酸ラジカルとによって水が浄化される。この期間も水中の過酸化水素の濃度は上昇する。
【０１０１】
次に、時間Ｔ２が経過した時点で、制御部（41）は電極対（64,65）への電圧の供給を停止し、放電を停止させる。制御部（45）は、引き続き超音波発生部（94）をオン状態として水中に超音波を照射させる。これにより、過酸化水素から生成された水酸ラジカルによって水が浄化される。この期間に、水中の過酸化水素の濃度は減少する。
【０１０２】
次に、さらに時間Ｔ３が経過した時点で、制御部（41）は電極対（64,65）への電圧の供給を再開し、この状態を時間Ｔ２の間だけ継続する。これにより、水中の過酸化水素の濃度は再び上昇する。これ以後、同様に超音波照射のみを行う期間（時間Ｔ３）と超音波照射と放電とを組み合わせる期間（時間Ｔ２）とを繰り返すことにより、水中の過酸化水素濃度を下限値以上且つ上限値以下の範囲に制御しつつ、水を浄化する。
【０１０３】
以上の制御方法によっても、水中の過酸化水素の濃度を下限値以上、且つ上限値以下の範囲に制御しながら、水を浄化することができる。なお、これは運転動作の一変形例であって、他の方法によっても水（イオン水）の浄化を行うことができる。
【０１０４】
〈実施形態１の構成の一変形例〉
上記の実施形態１においては、絶縁ケーシング（71）の蓋部（73）に１つの開口部（74）が形成されている。しかしながら、例えば図９及び図１０に示すように、絶縁ケーシング（71）の蓋部（73）に複数の開口部（74）を形成してもよい。本変形例においては、絶縁ケーシング（71）の蓋部（73）がほぼ正方形の板状に形成されている。また、蓋部（73）には、複数の開口部（74）が間隔をおいて碁盤目状に配列されている。一方、放電電極（64）においても、全ての開口部（74）に跨るように正方形の板状に形成されている。
【０１０５】
本変形例においても、各開口部（74）が、電流密度集中部及び気相形成部として機能する。これにより、電源部（70）から電極対（64,65）に直流電圧が印加されると、各開口部（74）の電流密度が上昇し、各開口部（74）で気泡（B）が形成される。その結果、各気泡（B）内において、それぞれ放電が生起され、水酸ラジカル等の活性種及び過酸化水素が生成される。
【０１０６】
《発明の実施形態２》
図１１は、本発明の実施形態２に係る加湿装置を構成する洗浄ユニット（10）の概略構成を示している。図１１においては、実施形態１に係る洗浄ユニット（10）と同等の構成については、図３と同一の符号を付している。以下では、主に実施形態１に係る洗浄ユニット（10）と異なる点について説明する。
【０１０７】
実施形態２に係る洗浄ユニット（10）は、電極（64b）及び電極（65b）とからなる電極対（64b,65b）と、該電極対（64b,65b）と接続された電源部（70）と、例えば水タンク（61）の上部室（33）に配設された超音波発生部（94）とを有している。
【０１０８】
負電極である一の電極（64b）は、水タンク（20）の上部室（33）の壁面に配設され、正電極である他の電極（65b）は、水タンク（20）の下部室（34）の底部に配設されている。
【０１０９】
電極（64b）は、少なくとも１つの導電部（164）と、該導電部（164）を囲む絶縁部（165）とを有している。
【０１１０】
同様に、電極（65b）は、少なくとも１つの導電部（166）と、該導電部（166）を囲む絶縁部（167）とを有している。
【０１１１】
以上のように、電極（64b）における導電部（164）の露出面、及び電極（65b）における導電部（166）の露出面の面積は共に小さいため、直流電圧を電極対（64b,65b）に印加した場合には、導電部（164,166）の表面で電流密度の集中部が形成される。このため、導電部（164,166）の各表面では水がジュール熱によって気化して泡が形成される。この泡によって、導電部（164,166）の各露出面が覆われた状態で電源ユニット（70）からの電圧供給を継続することにより、泡の内部で放電が生起される。
【０１１２】
なお、超音波発生部（94）の具体的な構成は実施形態１に係る洗浄ユニット（10）と同等である。
【０１１３】
−実施形態２の効果−
実施形態２に係る加湿装置は、図８（ａ）又は図８（ｂ）に示す制御方法を用いて運転することにより、イオン水中の過酸化水素を水酸ラジカルに変換することにより、水タンク（61）の洗浄用水及び被洗浄物を効果的に浄化することができる。
【０１１４】
以上の構成によっても、電極対（64b,65b）の間での放電と超音波照射と組み合わせて、過酸化水素の濃度を抑制し、水酸ラジカルの濃度を高めることにより、高い浄化能力を発揮することができる。
【０１１５】
《他の実施形態》
〈洗浄ユニットの構成>
上述した実施形態においては、分離板（32）が水平に配設されて、水タンク（61）内を分離板（32）によって上下に区画する例を示したが、これに限られない。例えば、図１２に示すように、分離板（32）を鉛直に配置して、水タンク（61）内の空間を左右に区画するようにしてもよい。
【０１１６】
また、上記の実施形態においては、洗浄ユニット（10）を加湿装置（1）に適用して、加湿ロータ（31）を被洗浄物とする例を示したが、これに限られない。例えば、野菜又は眼鏡等を被洗浄物とすることもできる。
【０１１７】
また、上記の実施形態においては、対向電極（65）を、被洗浄物（加湿ロータ（31））とは別に設けるようにしているが、これに限られない。例えば、被洗浄物自体を電源部（70）の正極側と直接に接続して対向電極として利用することもできる。但し、この場合には、被洗浄物を導電材料により構成する必要がある。
【０１１８】
また、上記の実施形態においては、洗浄ユニット（10）が分離板（32）を有する構成としているが、分離板（32）を有さない構成であってもよい。
【０１１９】
また、上記の実施形態においては、放電ユニット（62）による洗浄動作並びに浄化及び殺菌動作を加湿運転時にのみ行うようにしているが、これに限られない。例えば、これらの動作を行うための専用モードを備え、ユーザが専用モードを選択している場合には、加湿装置（1）が加湿運転中であるか否かに拘わらず、洗浄動作並びに浄化及び殺菌動作を実行するようにしてもよい。
【０１２０】
また、上記の実施形態においては、加湿ロータ（31）を水タンク（61）に直接に浸漬するようにしているが、これに限られない。例えば、特開２００９−１５４１１８号公報に示すように、加湿ロータ（31）とは別に水車を設けて、該水車により水タンク（61）内の水を汲み上げて加湿ロータ（31）に供給するようにしてもよい。この場合、加湿ロータ（31）に水を供給する水車を被洗浄物として洗浄することができ、延いては、加湿ロータ（31）及び加湿空気の浄化度を高めることができる。
【０１２１】
〈放電ユニットの構成>
上述した各実施形態の電源部（70）には、放電の放電電力を所定の値に制御する定電力制御部を用いている。しかしながら、定電力制御部に代えて、放電時の放電電流を所定の値に制御する定電流制御部を設けることもできる。定電流制御を行うと、洗浄用水の導電率に依らずに放電が安定するため、スパークの発生も未然に回避することができる。
【産業上の利用可能性】
【０１２２】
本発明は、被洗浄物が浸漬される洗浄用水を貯留するための洗浄槽と該被洗浄物を洗浄するための洗浄手段とを備えた洗浄器、及び該洗浄器を備えた加湿装置に有用である。
【符号の説明】
【０１２３】
１      加湿装置
１０    洗浄ユニット
２０    ケーシング
２１    加湿ユニット
２２    吸込口
２３    吹出口
２４    空気通路
２５    プレフィルタ
２６    イオン化部
２７    プリーツフィルタ
２８    遠心ファン
３１    加湿ロータ（被洗浄物）
３１ａ  吸水部材
３１ｂ  支持軸
３２    分離板（区画部材）
３３    第１室（上部室）
３４    第２室（下部室）
３５    孔部（貫通孔部）
３６    ヒータ
４０    制御部
４１    制御部
４３    放電波形発生部
４５    制御部
４７    センサ
４８    超音波波形発生部
４９    増幅器
６１    水タンク（洗浄槽）
６２    放電ユニット
６４    放電電極（負電極）
６５    対向電極（正電極）
６４ａ  電極（負電極）
６５ｂ  電極（正電極）
７０    電源部
７１    絶縁ケーシング
７２    ケース本体
７３    蓋部
７４    開口部（電流密度集中部）
９４    超音波発生部
９５    圧電セラミック
９６    金属板
９６ａ，９６ｂ  金属板
９７    ケース
９７ａ  金属ケース
１６４，１６６  導電部
１６５，１６７  絶縁部
１００  洗浄手段
【図１】
2013138985.tif 000003
【図２】
2013138985.tif 000004
【図３】
2013138985.tif 000005
【図４】
2013138985.tif 000006
【図５】
2013138985.tif 000007
【図６】
2013138985.tif 000008
【図７】
2013138985.tif 000009
【図８】
2013138985.tif 000010
【図９】
2013138985.tif 000011
【図１０】
2013138985.tif 000012
【図１１】
2013138985.tif 000013
【図１２】
2013138985.tif 000014